(57)【要約】【課題】簡易な構成によりＸ線造影糸がガーゼ本体から脱落しにくく、かつレントゲン写真にＸ線造影糸が映り込みやすい医療用ガーゼを提案する。【解決手段】経糸１４と緯糸１５の交互の交差からなるガーゼ本体１１にＸ線造影糸２３が一体に編成されてなる医療用ガーゼ１０であって、前記ガーゼ本体の経方向に複数本のＸ線造影糸からなる経造影部２１が形成されているとともに、前記ガーゼ本体の緯方向にも複数のＸ線造影糸からなる緯造影部２２が形成されている。また、経造影部及び緯造影部がそれぞれ２本のＸ線造影糸からなってもよい。さらに、Ｘ線造影糸が造影剤を含浸した糸又は金属線である。【選択図】図１
0003212510.tif 000002
【実用新案登録請求の範囲】
【請求項１】
経糸と緯糸の交互の交差からなるガーゼ本体にＸ線造影糸が一体に編成されてなる医療用ガーゼであって、
前記ガーゼ本体の経方向に複数本のＸ線造影糸からなる経造影部が形成されているとともに、
前記ガーゼ本体の緯方向にも複数のＸ線造影糸からなる緯造影部が形成されている
ことを特徴とする医療用ガーゼ。
【請求項２】
前記経造影部及び緯造影部がそれぞれ２本のＸ線造影糸からなる請求項１に記載の医療用ガーゼ。
【請求項３】
前記Ｘ線造影糸が造影剤を含浸した糸である請求項１又は２に記載の医療用ガーゼ。
【請求項４】
前記Ｘ線造影糸が金属線である請求項１又は２に記載の医療用ガーゼ。
【考案の詳細な説明】
【技術分野】
【０００１】
本考案は、医療用ガーゼに関し、特にはガーゼ本体の緯方向に配置されたＸ線造影糸が脱落しにくい医療用ガーゼに関する。
【背景技術】
【０００２】
医療用ガーゼは、手術を行う際に、血液等を吸収したり、鉤で組織を牽引する時に組織の損傷を防ぐために鉤と組織の間に挟んだりする等大量に使用される。手術後にガーゼを体内に遺残することを防ぐため、使用したガーゼを数えてミスを防ぐなどの予防策がとられている。
【０００３】
また、万一ガーゼを体内に遺残してしまった場合のために、ガーゼ本体にＸ線造影糸（糸）を編み込んだ医療用ガーゼが用いられる。これにより、手術後にレントゲン撮影により体内に遺残しているガーゼを発見することができる。
【０００４】
従来のこの種の医療用ガーゼでは、レントゲン撮影時にカメラに写りこみやすいように経方向及び緯方向それぞれにＸ線造影糸を織り込むことによって、より確実に体内に遺残してしまったガーゼを発見しやすくする工夫が行われている。
【０００５】
また、Ｘ線造影糸は合成樹脂繊維等からなるため、綿糸よりなるガーゼ本体から抜け落ちやすい問題がある。このことから、Ｘ線造影糸の一側に密に平織してＸ線造影糸を抜け落ちにくくする医療用ガーゼが提案されている（特許文献１参照。）。このように、Ｘ線造影糸がガーゼ本体から脱落しにくく、かつより確実に体内に遺残してしまったガーゼを発見しやすい医療用ガーゼが求められていた。
【先行技術文献】
【特許文献】
【０００６】
【特許文献１】特許第５１２０７３２号公報
【考案の概要】
【考案が解決しようとする課題】
【０００７】
本考案は前記の点に鑑みなされたものであり、簡易な構成によりＸ線造影糸がガーゼ本体から脱落しにくく、かつレントゲン写真にＸ線造影糸が映り込みやすい医療用ガーゼを提案するものである。
【課題を解決するための手段】
【０００８】
すなわち、請求項１の考案は、経糸と緯糸の交互の交差からなるガーゼ本体にＸ線造影糸が一体に編成されてなる医療用ガーゼであって、前記ガーゼ本体の経方向に複数本のＸ線造影糸からなる経造影部が形成されているとともに、前記ガーゼ本体の緯方向にも複数のＸ線造影糸からなる緯造影部が形成されていることを特徴とする医療用ガーゼに係る。
【０００９】
請求項２の考案は、前記経造影部及び緯造影部がそれぞれ２本のＸ線造影糸からなる請求項１に記載の医療用ガーゼに係る。
【００１０】
請求項３の考案は、前記Ｘ線造影糸が造影剤を含浸した糸である請求項１又は２に記載の医療用ガーゼに係る。
【００１１】
請求項４の考案は、前記Ｘ線造影糸が金属線である請求項１又は２に記載の医療用ガーゼに係る。
【考案の効果】
【００１２】
請求項１の考案に係る医療用ガーゼは、経糸と緯糸の交互の交差からなるガーゼ本体にＸ線造影糸が一体に編成されてなる医療用ガーゼであって、前記ガーゼ本体の経方向に複数本のＸ線造影糸からなる経造影部が形成されているとともに、前記ガーゼ本体の緯方向にも複数のＸ線造影糸からなる緯造影部が形成されているため、簡易な構成でＸ線造影糸が脱落しにくい医療用ガーゼを提供できる。また、既存の設備によりＸ線造影糸を当該絡み構造で織り込むことができるため、医療用ガーゼの製織が容易であり、経済的である。
【００１３】
請求項２の考案に係る医療用ガーゼは、請求項１において、前記経造影部及び緯造影部がそれぞれ２本のＸ線造影糸からなるため、経済的であり、簡易な構成でＸ線造影糸をガーゼ本体から脱落しにくくすることができる。
【００１４】
請求項３の考案は、請求項１又は２において、前記Ｘ線造影糸が造影剤を含浸した糸であるため、医療用ガーゼの製織が容易である。
【００１５】
請求項４の項案は、請求項１又は２において、前記Ｘ線造影糸が金属線であるため、レントゲン写真に写りこみやすい。
【図面の簡単な説明】
【００１６】
【図１】本考案の一実施形態に係る医療用ガーゼの概略平面図である。
【図２】交差部近傍の概略を示す拡大平面図である。
【図３】本考案の医療用ガーゼの原反を示す概略平面図である。
【考案を実施するための形態】
【００１７】
図１に示すように、医療用ガーゼ１０は、経糸１４と緯糸１５が交互に交差した平織のガーゼ本体１１を有する。経糸１４及び緯糸１５の太さ、ガーゼ本体１１の大きさは特に限定されないが、実施例では、経糸１４及び緯糸１５は綿糸よりなり、共に４０番手（単位重さ約４５３．５ｇあたりの長さが約７６８ｍ×４０）の綿糸が約１２本／ｃｍの密度で平織され、ガーゼ本体１１の大きさは約３０ｃｍ×３０ｃｍに形成される。なお、実施形態の医療用ガーゼ１０は、後述するように、大版の原反Ｆを切断して製造されたもので、緯糸１５方向の側端部１６には中耳部１７が形成され、経糸１４方向の端部１８には厚段部１９が形成されている。
【００１８】
経造影部２１及び緯造影部２２を構成するＸ線造影糸２３は、ガーゼ本体１１の経緯方向にクロスして、経糸１４及び緯糸１５と共に一体に織り込まれる。Ｘ線造影糸２３は、経糸１４及び緯糸１５と共に織り込まれる。Ｘ線造影糸２３は、従来公知のものが使用され、例えば、ポリプロピレン樹脂、ポリエステル樹脂、ポリエチレン樹脂、ポリ塩化ビニル樹脂等の合成樹脂繊維に硫酸バリウムが添加されたＸ線造影糸や、金属線等が挙げられる。
【００１９】
図１に示す医療用ガーゼ１０は、経及び緯方向にそれぞれ複数のＸ線造影糸２３からなる経造影部２１及び緯造影部２２が形成され、実施例において、経緯それぞれの造影部２１，２２は２本のＸ線造影糸２３からなる。この医療用ガーゼ１０が体内に遺残した場合に、レントゲン撮影を行うと、経造影部２１と緯造影部２２とがクロス状に配設されているので、例えば、経造影部２１がカメラ角度により映り込み難くなっている場合にも、緯造影部２２がレントゲン写真に映り込み、体内の医療用ガーゼ１０を安全に発見することが可能となる。経造影部２１と緯造影部２２とがクロス状に配設されているので、少なくともどちらか一方がレントゲン写真に映り込み遺残したガーゼの発見率が格段と向上する。また、Ｘ線造影糸２３が経方向及び緯方向のそれぞれに２本ずつ織り込まれているため、レントゲン写真に映り込む線が太くなり視認しやすくなりつつ、経済的である。
【００２０】
図２の経造影部２１と緯造影部２２がクロスする交差部３０近傍の概略を示す拡大図に示すように、経造影部２１の隣り合う２本のＸ線造影糸２３は、経糸１４及び緯糸１５と一体に平織されるため、緯糸１５が交互に織り込まれる。そして、経造影部２１と緯造影部２２がクロスする交差部３０では、それぞれの造影糸が平織される。同じ素材同士の方が異なる素材同士よりも接触した時になじみやすく、摩擦力が大きくなるため、Ｘ線造影糸２３同士が交互に織られることによって摩擦が大きくなり、Ｘ線造影糸２３がガーゼ本体１１からより脱落しにくくなる。
【００２１】
実施例において、緯糸１５はエアジェット織機によって編成される。エアジェット織機は、緯入れ用ノズルから圧縮空気を噴出して緯糸を射出し、シャフトの間を緯糸が飛走し先端がノズルと逆側の吸引パイプ内に引き込まれることで緯入れを行う。エアジェット織機では、緯糸が通される方向が一方のみであることから、緯糸は一段通される毎に切断される。このため、Ｘ線造影糸を緯糸として織り込む際には、ガーゼ本体の織成工程の所定間隔ないし位置で、公知の手段により、緯糸射出位置に造影糸用ノズルを移動して、Ｘ線造影糸を射出して編成すればよい。
【００２２】
これにより、医療用ガーゼの緯方向に極めて容易にＸ線造影糸を織り込むことができ、Ｘ線造影糸は原反の側端での折返しによる余剰糸を生じさせないで製作することができるため、極めて効率的にかつＸ線造影糸の本数や位置などを自由に設定できる。緯方向にＸ線造影糸を複数配設する場合には、造影糸用のノズルを移動させる間隔を変更するだけでよいため、容易に製作することができる。
【００２３】
図３に示すように、医療用ガーゼ１０の原反Ｆにおいて、経糸方向に緯糸１５が粗である厚段部１９を形成することで、厚段部１９を切断して複数の医療用ガーゼ１０を製作することができる。また、厚段部１９の両端に緯糸１５を密にした密織部５１や、緯糸１５同士を絡み織にした中耳絡み織部の形成により、切断後のガーゼはほつれにくくなる。
【００２４】
さらに、幅広の織機を用いて横方向に複数枚製作する場合には、所定間隔ごとに経糸１４が粗である中耳部１７を形成し、中耳部１７を切断することにより一度に多量の医療用ガーゼ１０を経済的に製作することができる。実施形態では、３０×３０ｃｍを緯糸方向に５枚相当分を並べて製作した。中耳部１７の両端には経糸１４を密にして密織部５２を形成し、ほつれを生じにくくすることができる。
【００２５】
経造影部２１及び緯造影部２２それぞれは公知の抜け落ち防止手段を用いることができる。例えば、各造影部２１，２２の両側の経糸及び緯糸を密にしたり、Ｘ線造影糸２３に先述の合成樹脂等繊維と他の糸部材と共に撚糸とされているものを用いて摩擦抵抗をさらに高めてもよい。
【００２６】
この医療用ガーゼ１０は、経糸１４及び緯糸１５よりなるガーゼ本体１１に複数のＸ線造影糸２３からなる経造影部２１と緯造影部２２が形成される。そのため、別途複雑な工程及び設備を必要とせず極めて容易に製造することが可能である。なお、本考案の医療用ガーゼは、前述の実施例のみに限定されるものではなく、３０×３０ｃｍよりも小さい大きさにしてもよく、吸水性や柔軟性の調整ために糸の番手をより太い又は細いものを使用する等この考案の趣旨を逸脱しない範囲において、構成の一部を適宜に変更して実施することができる。
【符号の説明】
【００２７】
１０    医療用ガーゼ
１１    ガーゼ本体
１４    経糸
１５    緯糸
２１    経造影部
２２    緯造影部
２３    Ｘ線造影糸
Ｆ    原反
【図１】
0003212510.tif 000003
【図２】
0003212510.tif 000004
【図３】
0003212510.tif 000005